(57)【要約】【課題】ユーザに適した広告を広く配信する技術を提供する。【解決手段】取得部２０は、第１通信システムに対応した基地局装置１２によって、広告情報を含んだデータが通信端末装置１０に送信されたことに関する情報を取得する。特定部２２は、取得部２０が情報を取得した場合、基地局装置１２の設置位置をもとに、第１通信システムとは異なった第２通信システムに対応したアクセスポイント３２を特定する。指示部２６は、記憶部２４において特定したアクセスポイント３２に対して、通信端末装置１０に送信したデータに含まれた広告情報に関連した広告情報が含まれたデータを送信させる。【選択図】図１
2016053785.tif 000002
【特許請求の範囲】
【請求項１】
第１通信システムに対応した第１種の基地局装置によって、広告情報を含んだデータが通信端末装置に送信されたことに関する情報を取得する取得部と、
前記取得部が情報を取得した場合、第１種の基地局装置の設置位置をもとに、第１通信システムとは異なった第２通信システムに対応した第２種の基地局装置を特定する特定部と、
前記特定部において特定した第２種の基地局装置に対して、通信端末装置に送信したデータに含まれた広告情報に関連した広告情報が含まれたデータを送信させる指示部と、
を備えることを特徴とする管理装置。
【請求項２】
前記指示部が送信させたデータは、当該データを受信した通信端末装置に強制的に表示されることを特徴とする請求項１に記載の管理装置。
【請求項３】
基地局装置によって、広告情報を含んだデータが通信端末装置に送信されたことに関する情報を取得する取得部と、
前記取得部が情報を取得した場合、データを送信した基地局装置の設置位置をもとに、別の基地局装置を特定する特定部と、
前記特定部において特定した別の基地局装置に対して、通信端末装置に送信したデータに含まれた広告情報に関連した広告情報が含まれたデータを送信させる指示部と、
を備えることを特徴とする管理装置。
【請求項４】
広告情報が含まれたデータは、サービスセット識別子に対応づけられているとともに、基地局装置は、サービスセット識別子を変更しながら、サービスセット識別子が含まれたビーコンを送信し、
前記指示部は、送信を指示したデータに対するサービスセット識別子の優先順位を高くすることを特徴とする請求項３に記載の管理装置。
【請求項５】
前記指示部は、過去に送信したデータの実績に応じて、サービスセット識別子の優先順位を調節することを特徴とする請求項４に記載の管理装置。
【発明の詳細な説明】
【技術分野】
【０００１】
本発明は、通信技術に関し、特に通信システムにおける通信条件を管理する管理装置に関する。
【背景技術】
【０００２】
ユーザの広告利用率を高め、いずれの場所であっても何らかの広告を配信することが望まれる。そのために、ユーザが携帯端末を利用するときに自動的に位置を測位し、測位結果、現在の時間、登録されたユーザプロファイルに応じた広告が配信される（例えば、特許文献１参照。）。
【先行技術文献】
【特許文献】
【０００３】
【特許文献１】特開２０１０−３９８９８号公報
【発明の概要】
【発明が解決しようとする課題】
【０００４】
広告の利用効率を高めるためには、ユーザの特性に適した広告を配信することが有効である。さらに、このようなユーザに適した広告を広く配信することも求められる。
【０００５】
本発明はこうした状況に鑑みてなされたものであり、その目的は、ユーザに適した広告を広く配信する技術を提供することにある。
【課題を解決するための手段】
【０００６】
上記課題を解決するために、本発明のある態様の管理装置は、第１通信システムに対応した第１種の基地局装置によって、広告情報を含んだデータが通信端末装置に送信されたことに関する情報を取得する取得部と、取得部が情報を取得した場合、第１種の基地局装置の設置位置をもとに、第１通信システムとは異なった第２通信システムに対応した第２種の基地局装置を特定する特定部と、特定部において特定した第２種の基地局装置に対して、通信端末装置に送信したデータに含まれた広告情報に関連した広告情報が含まれたデータを送信させる指示部と、を備える。
【０００７】
本発明の別の態様もまた、管理装置である。この装置は、基地局装置によって、広告情報を含んだデータが通信端末装置に送信されたことに関する情報を取得する取得部と、取得部が情報を取得した場合、データを送信した基地局装置の設置位置をもとに、別の基地局装置を特定する特定部と、特定部において特定した別の基地局装置に対して、通信端末装置に送信したデータに含まれた広告情報に関連した広告情報が含まれたデータを送信させる指示部と、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、ユーザに適した広告を広く配信できる。
【図面の簡単な説明】
【００１０】
【図１】本発明の実施例１に係る通信システムの構成を示す図である。
【図２】図１の記憶部に記憶されたテーブルのデータ構造を示す図である。
【図３】図１の管理装置による広告データ送信の指示手順を示すフローチャートである。
【図４】本発明の実施例２に係る通信システムにおける管理装置の記憶部に記憶されたテーブルのデータ構造を示す図である。
【図５】本発明の実施例２に係る管理装置による広告データ送信の指示手順を示すフローチャートである。
【図６】本発明の実施例３に係る通信システムの構成を示す図である。
【図７】図６の管理装置の記憶部に記憶されたテーブルのデータ構造を示す図である。
【図８】図６の管理装置の記憶部に記憶された別のテーブルのデータ構造を示す図である。
【図９】図６の管理装置において選択されるＳＳＩＤの時間変化を示す図である。
【図１０】図６の管理装置による優先順位の変更手順を示すフローチャートである。
【図１１】本発明の実施例４に係る通信システムの構成を示す図である。
【図１２】図１１の管理装置の記憶部に記憶されたテーブルのデータ構造を示す図である。
【発明を実施するための形態】
【００１１】
（実施例１）
本発明を具体的に説明する前に、概要を述べる。本発明の実施例１は、携帯電話システム、無線ＬＡＮ（Ｌｏｃａｌ  Ａｒｅａ  Ｎｅｔｗｏｒｋ）システム等の無線通信技術と広告配信技術とを組合わせた通信システムに関する。無線通信技術を備えた通信端末装置は可搬性を有するので、ユーザにとってはさまざまな場所での通信が可能になる。そのため、これに広告配信技術を組み合わせると、さまざまな場所で広告が視聴される。広告は、さまざまな商品・サービスに対してなされているが、ユーザは、関心の高い商品・サービスについての広告の視聴を希望する。これに対応するために、例えば、ユーザごとに趣味・趣向が示されたデータベースが予め生成され、データベースに応じた内容の広告が配信される。しかしながら、ユーザごとのデータの記憶が必要になるので、データベースの生成・管理、広告の選択を実行するための処理量が多くなる。そのため、処理量の増加を抑制しながら、ユーザに適した広告を選択することが望まれる。
【００１２】
本実施例では、ユーザが使用している通信端末装置へ、携帯電話システムの基地局装置から広告の配信がなされている状況を検出すると、当該基地局装置の近傍に設置されているアクセスポイントから、同一のあるいは関連した内容の広告が配信される。基地局装置の近傍に形成される数十ｍから数ｋｍのエリアでは、当該エリアに関連した広告の配信が望まれる場合が多く、あるいは類似した属性のユーザが集まる場合が多いからである。ここで、当該エリアに関連した広告とは、エリア内あるいは近傍に存在する店舗で販売されている商品・サービスについての広告、エリア内あるいは近傍において開催されるイベントについての広告等である。また、類似した属性のユーザとは、年齢、職業等が類似したユーザである。つまり、このようなエリアでは、ユーザ間相関が高いので、既に視聴されている広告、あるいはこれに類似した広告の配信が望まれる。
【００１３】
図１は、本発明の実施例１に係る通信システム１００の構成を示す。通信システム１００は、通信端末装置１０、基地局装置１２と総称される第１基地局装置１２ａ、コンテンツサーバ１６、管理装置１８、第１ネットワーク３０、アクセスポイント３２と総称される第１アクセスポイント３２ａ、第２アクセスポイント３２ｂ、第３アクセスポイント３２ｃ、第２ネットワーク３４、ＧＷ３６を含む。管理装置１８は、取得部２０、特定部２２、記憶部２４、指示部２６を含む。
【００１４】
通信端末装置１０は、ユーザによって使用される無線装置であり、携帯電話システムに対応した携帯電話、スマートホン、タブレット等である。通信端末装置１０は、データ通信、音声通信を実行可能であるが、ここでは、例えば、データ通信を実行するものとする。通信端末装置１０には、ＳＩＭ（Ｓｕｂｓｃｒｉｂｅｒ  Ｉｄｅｎｔｉｔｙ  Ｍｏｄｕｌｅ）カードが装着されており、ＳＩＭカードには、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）と呼ばれる固有の番号が付与されている。また、ＳＩＭカードあるいはＩＭＳＩは、通信端末装置１０ごとに異なっているので、ＳＩＭカードあるいはＩＭＳＩは、ユーザを識別するための識別情報として使用される。
【００１５】
通信端末装置１０は、携帯電話システムに加えて、ＩＥＥＥ８０２．１１の規格に準拠した無線ＬＡＮシステムにも対応し、データ通信を実行する。無線ＬＡＮシステムにおいては、例えば、ＭＡＣ（Ｍｅｄｉａ  Ａｃｃｅｓｓ  Ｃｏｎｔｒｏｌ）アドレスが識別情報として使用される。そのため、通信端末装置１０には、携帯電話システムでの識別情報（以下、「第１通信システムＩＤ」ということもある）、無線ＬＡＮシステムでの識別情報（以下、「第２通信システムＩＤ」ということもある）が付与されている。また、第１通信システムＩＤと第２通信システムＩＤとに紐づけられた識別情報（以下、「ユーザＩＤ」ということもある）が通信端末装置１０に付与されてもよい。
【００１６】
基地局装置１２は、携帯電話システムに対応しており、一端側で無線通信を実行し、他端側で有線通信を実行する。特に、基地局装置１２は、一端側において通信端末装置１０と通信する。第１ネットワーク３０は、基地局装置１２に接続される。基地局装置１２、第１ネットワーク３０は、移動体通信事業者によって運用・管理されている場合もあれば、移動体通信事業者から再販を受けた仮想移動体通信事業者によって運用・管理されている場合もある。なお、基地局装置１２は、複数設置されるが、ここでは、１つの第１基地局装置１２ａのみが図示されている。
【００１７】
コンテンツサーバ１６は、コンテンツデータを記憶する。コンテンツデータの一例は、広告情報が含まれたデータ（以下、「広告データ」という）であり、複数種類の広告情報に対応するように、複数種類の広告データがコンテンツサーバ１６に記憶されている。コンテンツサーバ１６は、第１ネットワーク３０に接続されており、第１ネットワーク３０、基地局装置１２を介して通信端末装置１０へ広告データを送信する。これが広告の配信に相当する。広告の配信は、通信端末装置１０からの要求を受信した場合にプル型としてなされてもよいし、コンテンツサーバ１６での自律的なプッシュ型としてなされてもよい。
【００１８】
プッシュ型の配信は、例えば、定期的になされる。また、配信される広告データは、通信端末装置１０を使用しているユーザからの要求に応じて選択されてもよいし、コンテンツサーバ１６において選択されてもよい。例えば、後者の場合、コンテンツサーバ１６は、ユーザの識別情報と属性との対応関係を予め記憶しており、受けつけた識別情報をもとに属性を特定し、属性に応じた広告データを選択する。ここでの識別情報には、前述の第１通信システムＩＤが使用される。また、例えば、ユーザが３０代女性によって特徴づけられている場合、コンテンツサーバ１６は、３０代女性の趣味・趣向に適した広告データを選択する。
【００１９】
コンテンツサーバ１６は、広告データを送信した後、通信端末装置１０に広告データを送信した日時、広告データを送信した通信端末装置１０を使用するユーザを識別するための識別情報（以下、「ユーザの識別情報」という）、通信端末装置１０に広告データを送信する際に使用した基地局装置１２の識別情報（以下、「基地局装置１２の識別情報」という）、通信端末装置１０に送信した広告データに含まれた広告情報の内容、例えば商品名、サービス名を第１ネットワーク３０経由で管理装置１８に送信する。なお、コンテンツサーバ１６は、広告データを送信した後に通信端末装置１０からの受信確認を受信可能である場合、広告データを送信した日時の代わりに、受信確認を受信した日時を送信してもよい。
【００２０】
アクセスポイント３２は、無線ＬＡＮシステムに対応しており、ＩＥＥＥ８０２．１１の規格に準拠した処理を実行することによって、一端側にて通信端末装置１０と通信する。ここでは、一例として、第１アクセスポイント３２ａ、第２アクセスポイント３２ｂ、第３アクセスポイント３２ｃが示されている。アクセスポイント３２は、他端側にて第２ネットワーク３４に接続され、有線通信を実行する。なお、第２ネットワーク３４への接続は、無線通信、例えば、ＬＴＥ（Ｌｏｎｇ  Ｔｅｒｍ  Ｅｖｏｌｕｔｉｏｎ）のような携帯電話システム、ＷｉＭＡＸ（登録商標）であってもよい。
【００２１】
アクセスポイント３２は、例えば、通信システム１００の事業者の管理配下である。この場合、アクセスポイント３２との自動接続と、高いＱｏＳ（Ｑｕａｌｉｔｙ  ｏｆ  Ｓｅｒｖｉｃｅ）での配信とが可能である。また、アクセスポイント３２は、通信システム１００の事業者とは別の事業者の管理配下であってもよい。通信システム１００の事業者とは別の事業者とは、例えば、飲食店、公共機関等であり、これらとの間でローミング契約が結ばれている。この場合、アクセスポイント３２との自動接続と、広告データのプッシュ型配信が可能である。さらに、アクセスポイント３２は、無料接続可能な公衆系のアクセスポイント３２であってもよい。この場合、手動あるいはツールによる接続、広告データのプッシュ型配信が可能である。ここで、アクセスポイント３２は、例えば、イベント会場・モール・商店街・公共施設等に設置され、一般的に基地局装置１２よりも狭い通信可能エリアを形成する。
【００２２】
第２ネットワーク３４は、ＧＷ３６を介して、第１ネットワーク３０に接続される。そのため、コンテンツサーバ１６からの広告データは、第１ネットワーク３０、ＧＷ３６、第２ネットワーク３４を介して、アクセスポイント３２からも送信可能である。
【００２３】
管理装置１８は、第１ネットワーク３０に接続される。取得部２０は、通信端末装置１０に広告データを送信した日時、ユーザの識別情報、基地局装置１２の識別情報、通信端末装置１０に送信した広告データに含まれた広告情報の内容を取得する。これは、携帯電話システムに対応した基地局装置１２によって、広告データが通信端末装置１０に送信されたことに関する情報を取得することに相当する。なお、広告データを送信した日時は、受信確認を受信した日時であってもよいので、以下では、これらを「取得日時」と総称する。取得部２０は、取得したこれらの情報を特定部２２に出力する。
【００２４】
記憶部２４は、基地局装置１２と、当該基地局装置１２の近傍に配置されたアクセスポイント３２との対応が示されたテーブルを記憶する。ここで、基地局装置１２の近傍に配置されたアクセスポイント３２とは、基地局装置１２からの距離が、所定の距離よりも短い位置に配置されたアクセスポイント３２を示し、所定の距離は、数十ｍから数ｋｍで規定される。なお、基地局装置１２ごとに所定の距離が異なっていてもよく、すべての基地局装置１２において所定の距離が同じでもよい。図２は、記憶部２４に記憶されたテーブルのデータ構造を示す。図示のごとく、基地局装置欄２００、アクセスポイント欄２０２が含まれる。このテーブルに示されるように、基地局装置欄２００に示された基地局装置１２の近傍に、アクセスポイント欄２０２に示された１つ以上のアクセスポイント３２が配置されている。なお、テーブルにおいて、基地局装置１２とアクセスポイント３２とのそれぞれは、識別情報によって示されていてもよい。図１に戻る。
【００２５】
特定部２２は、取得部２０からの情報を受けつけると、基地局装置１２の識別情報を抽出する。特定部２２は、記憶部２４に記憶されたテーブルを参照することによって、抽出した基地局装置１２の識別情報に対応したアクセスポイント３２の識別情報を特定する。図２のごとく、１つの基地局装置１２に複数のアクセスポイント３２が対応づけられている場合、特定部２２は、複数のアクセスポイント３２の識別情報を特定する。これは、取得部２０が情報を取得した場合、基地局装置１２の設置位置をもとに、アクセスポイント３２を特定することに相当する。また、特定部２２は、取得部２０からの情報から、広告情報の内容を抽出する。特定部２２は、特定した１つ以上のアクセスポイント３２の識別情報と、抽出した広告情報の内容を指示部２６に出力する。なお、特定部２２は、取得部２０からの情報から、ユーザの識別情報を抽出し、これも特定部２２に出力してもよい。
【００２６】
指示部２６は、特定部２２から、１つ以上のアクセスポイント３２の識別情報と、広告情報の内容を受けつける。指示部２６は、これらが含まれたデータを生成し、生成したデータを第１ネットワーク３０経由でコンテンツサーバ１６に出力する。この処理は、コンテンツサーバ１６に対して、アクセスポイント３２への広告データの送信を指示することに相当する。その際のアクセスポイント３２が、特定部２２において特定した１つ以上のアクセスポイント３２であり、広告データは、例えば、広告情報の内容が含まれた広告データ、つまり基地局装置１２を介して通信端末装置１０に既に送信した広告データそのものである。なお、特定部２２からユーザの識別情報を受けつけている場合、指示部２６は、これをデータに含めてもよい。
【００２７】
コンテンツサーバ１６は、指示部２６からのデータを受けつける。コンテンツサーバ１６は、データから、１つ以上のアクセスポイント３２の識別情報と、広告情報の内容を抽出する。コンテンツサーバ１６は、広告情報の内容をもとに、送信すべき広告情報を特定する。ここで、もとの広告情報と同一の広告情報が特定されてもよく、もとの広告情報に関連した広告情報が特定されてもよい。広告情報に関連した広告情報とは、例えば、同一の広告主の広告であっても、さらに内容を詳細にした広告である。また、指示部２６からのデータに、ユーザの識別情報が含まれている場合、コンテンツサーバ１６は、当該識別情報に対応したユーザの属性を考慮するように、広告情報を特定してもよい。コンテンツサーバ１６は、特定した広告情報が含まれた広告データをアクセスポイント３２へ送信する。宛先となるアクセスポイント３２は、指示部２６からのデータに含まれた識別情報に対応したアクセスポイント３２である。
【００２８】
アクセスポイント３２は、コンテンツサーバ１６からの広告データを受けつけると、無線ＬＡＮシステムにて広告データを送信する。この広告データの送信は、宛先を指定しないブロードキャスト送信であってもよい。基地局装置１２からの広告データを受信した通信端末装置１０とは別の通信端末装置１０が、アクセスポイント３２の周囲に存在すると、当該別の通信端末装置１０は、広告データを受信する。別の通信端末装置１０は、広告データを受信すると、広告データに含まれた広告情報を画面に表示する。広告情報の表示は、別の通信端末装置１０において広告情報以外の情報が表示されている場合であっても、強制的になされてもよい。つまり、指示部２６がコンテンツサーバ１６に送信させた広告データは、当該広告データを受信した別の通信端末装置１０に強制的に表示される。
【００２９】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３０】
以上の構成による通信システム１００の動作を説明する。図３は、管理装置１８による広告データ送信の指示手順を示すフローチャートである。取得部２０は、広告データ送信の報告をコンテンツサーバ１６から取得する（Ｓ１０）。基地局装置１２の近傍にアクセスポイント３２が存在すれば（Ｓ１２のＹ）、指示部２６は、特定したアクセスポイント３２からの広告データの送信をコンテンツサーバ１６に指示する（Ｓ１４）。一方、基地局装置１２の近傍にアクセスポイント３２が存在しなければ（Ｓ１２のＮ）、ステップ１４はスキップされる。
【００３１】
本発明の実施例によれば、基地局装置から送信された広告データを１つ以上のアクセスポイントからも送信するので、広告を広く配信できる。また、特定のエリア内にはある程度近い趣味・趣向を有したユーザが存在するので、エリア内のユーザに適した広告を広く配信できる。また、基地局装置から送信された広告データに関連した広告データを１つ以上のアクセスポイントからも送信するので、既に送信されている広告情報と類似性の高い広告情報を送信できる。また、アクセスポイントから広告データを送信するので、基地局装置よりも限定的なエリアに広告データを送信できる。また、広告データを受信した通信端末装置では、広告情報が強制的に表示されるので、広告情報を確実に視聴させることができる。
【００３２】
（実施例２）
次に、本発明の実施例２を説明する。実施例２は、実施例１と同様に、基地局装置から既に配信されている広告データをアクセスポイントからも配信する通信システムに関する。実施例１では、広告データそのものがアクセスポイントから送信されている。一方、実施例２では、広告データそのものはアクセスポイントから送信されない。実施例２において、広告データに含まれた広告情報に対応したＳＳＩＤ（Ｓｅｒｖｉｃｅ  Ｓｅｔ  Ｉｄｅｎｔｉｆｉｅｒ）がアクセスポイントから送信される。広告データの代わりにＳＳＩＤを送信するために、広告情報の広告主は、ＳＳＩＤと１対１で予め対応づけられている。なお、広告情報の代わりに、広告情報の対象となる商品、サービスがＳＳＩＤと対応づけられてもよい。通信端末装置は、ＳＳＩＤを受信すると、ＳＳＩＤを設定することによって、ＳＳＩＤに対応した広告情報が含まれた広告データを受信する。
【００３３】
通信端末装置からアクセスポイントに接続する場合、ユーザにとってどのＳＳＩＤを選択すればよいか分かりにくくなる。これに対応するため、ＳＳＩＤと広告主とを１対１で対応づけ、さらに広告主を連想するような名称がＳＳＩＤに付与される。その結果、ユーザが閲覧したい広告に応じてＳＳＩＤを選択することが容易になる。実施例２に係る通信システム１００は、図１と同様のタイプである。ここでは、差異を中心に説明する。
【００３４】
アクセスポイント３２には、通信端末装置１０との通信を実行する通信を実行するために、ＳＳＩＤが設定される。ＳＳＩＤは、ＩＥＥＥ８０２．１１規格において規定されている識別子であり、アクセスポイント３２を識別するために使用される。ＳＳＩＤは、一般的に、ビーコンに含まれてアクセスポイント３２からブロードキャスト送信される。その際、１つのビーコンには、１つのＳＳＩＤが含まれる。実施例２において、アクセスポイント３２のＳＳＩＤは、管理装置１８によって設定されるものとする。
【００３５】
コンテンツサーバ１６は、実施例１と同様の動作を実行する。また、管理装置１８の取得部２０は、実施例１と同様に、コンテンツサーバ１６からの情報を取得する。記憶部２４は、図２に示されたテーブルに加えて、広告主とＳＳＩＤとの対応関係が示されたテーブルも記憶する。図４は、本発明の実施例２に係る通信システム１００における管理装置１８の記憶部２４に記憶されたテーブルのデータ構造を示す。図示のごとく、広告欄２４０、ＳＳＩＤ欄２４２が含まれる。広告欄２４０には、対象となる広告の一覧が示される。広告Ａは、「Ａ社」の広告に相当し、広告Ｂは、「Ｂ社」の広告に相当する。ＳＳＩＤ欄２４２には、広告に対応したＳＳＩＤが示される。広告Ａに対しては、ＳＳＩＤとして「ａｄｖｅｒｔｉｓｅｍｅｎｔａ」が付与され、広告Ｂに対しては、ＳＳＩＤとして「ａｄｖｅｒｔｉｓｅｍｅｎｔｂ」が付与される。図１に戻る。
【００３６】
特定部２２は、取得部２０からの情報から、広告情報の内容を抽出する。抽出した広告情報の内容には、広告主に関する情報が含まれているので、特定部２２は、広告情報の内容から広告主を特定する。特定部２２は、図４に示したテーブルを参照することによって、広告主に対応したＳＳＩＤを特定する。特定部２２は、特定した１つ以上のアクセスポイント３２の識別情報と、特定したＳＳＩＤを指示部２６に出力する。
【００３７】
指示部２６は、特定部２２から、１つ以上のアクセスポイント３２の識別情報と、ＳＳＩＤを受けつける。指示部２６は、第１ネットワーク３０、ＧＷ３６、第２ネットワーク３４を介して、受けつけた識別情報に対応したアクセスポイント３２に対して、受けつけたＳＳＩＤを設定する。アクセスポイント３２は、指示部２６から指定されたＳＳＩＤを設定する。このように、広告データは、ＳＳＩＤに対応づけられているとともに、アクセスポイント３２は、ＳＳＩＤを変更しながら、ＳＳＩＤが含まれたビーコンを送信する。
【００３８】
通信端末装置１０は、アクセスポイント３２からのビーコンを受信することによって、当該アクセスポイント３２に設定されたＳＳＩＤを取得する。通信端末装置１０は、取得したＳＳＩＤを使用することによって、アクセスポイント３２との接続処理を実行する。接続処理には公知の技術が使用されればよいので、ここでは説明を省略する。選択したＳＳＩＤに応じた設定にて、通信端末装置１０とコンテンツサーバ１６との間の通信が、アクセスポイント３２、第２ネットワーク３４、ＧＷ３６、第１ネットワーク３０を介して実行される。その結果、通信端末装置１０は、コンテンツサーバ１６からの広告データを受信し、広告データを表示する。
【００３９】
図５は、本発明の実施例２に係る管理装置１８による広告データ送信の指示手順を示すフローチャートである。取得部２０は、広告データ送信の報告をコンテンツサーバ１６から取得する（Ｓ２０）。特定部２２は、広告データに対応したＳＳＩＤを選択する（Ｓ２２）。基地局装置１２の近傍にアクセスポイント３２が存在すれば（Ｓ２４のＹ）、指示部２６は、特定したアクセスポイント３２からのＳＳＩＤの送信をアクセスポイント３２に指示する（Ｓ２６）。一方、基地局装置１２の近傍にアクセスポイント３２が存在しなければ（Ｓ２４のＮ）、ステップ２６はスキップされる。
【００４０】
本発明の実施例によれば、基地局装置から送信された広告データに対応したＳＳＩＤを１つ以上のアクセスポイントからも送信するので、無線ＬＡＮシステムでの通信量の増加を抑制しながら、広告を広く配信できる。また、特定のエリア内にはある程度近い趣味・趣向を有したユーザがいるので、エリア内のユーザに適した広告を広く配信できる。
【００４１】
（実施例３）
次に、本発明の実施例３を説明する。実施例３は、これまでと同様に、既に送信されている広告データをアクセスポイントから配信する通信システムに関する。これまでは、もとの広告データが基地局装置から送信されていたが、ここでは、もとの広告データもアクセスポイントから送信されている。つまり、実施例３では、アクセスポイントから既に送信されている広告データが、別のアクセスポイントからも配信される。そのため、実施例３に係る通信システムは、携帯電話システムを対象としない。以下では、これまでとの差異を中心に説明する。
【００４２】
図６は、本発明の実施例３に係る通信システム１００の構成を示す。通信システム１００は、通信端末装置１０、コンテンツサーバ１６、管理装置１８、アクセスポイント３２と総称される第１アクセスポイント３２ａ、第２アクセスポイント３２ｂ、第３アクセスポイント３２ｃ、第２ネットワーク３４を含む。
【００４３】
通信端末装置１０は、これまでと同様に構成されるが、携帯電話システムに対応していなくてもよい。アクセスポイント３２は、実施例２と同様に構成される。ここでは、実施例１、２において基地局装置１２から送信されるもとの広告データの代わりに、もとの広告データが第１アクセスポイント３２ａから送信されているとする。コンテンツサーバ１６、管理装置１８は、第２ネットワーク３４に接続される。コンテンツサーバ１６は、これまでと同様の動作を実行するが、第２ネットワーク３４を介して第１アクセスポイント３２ａに広告データを送信する。
【００４４】
管理装置１８の取得部２０は、これまでと同様に、コンテンツサーバ１６からの情報を取得する。しかしながら、ここでの情報には、基地局装置１２の識別情報の代わりに、アクセスポイント３２の識別情報が含まれる。記憶部２４は、図４に示されたテーブルに加えて、１つのアクセスポイント３２と、当該１つのアクセスポイント３２の近傍に配置されたアクセスポイント３２との対応が示されたテーブルを記憶する。ここで、１つのアクセスポイント３２の近傍に配置されたアクセスポイント３２とは、１つのアクセスポイント３２からの距離が、所定の距離よりも短い位置に配置されたアクセスポイント３２を示し、所定の距離は、数十ｍから数ｋｍで規定される。
【００４５】
図７は、管理装置１８の記憶部２４に記憶されたテーブルのデータ構造を示す。図示のごとく、送信済アクセスポイント欄２５０、次送信開始アクセスポイント欄２５２が含まれる。送信済アクセスポイント欄２５０には、既に広告データを送信している１つのアクセスポイント３２が示される。次送信開始アクセスポイント欄２５２には、既に広告データを送信している１つのアクセスポイント３２の近傍に配置された１つ以上のアクセスポイント３２が示される。アクセスポイント３２は、識別情報によって示されていてもよい。図１に戻る。
【００４６】
特定部２２は、取得部２０からの情報を受けつけると、１つのアクセスポイント３２の識別情報を抽出する。特定部２２は、記憶部２４に記憶されたテーブルを参照することによって、抽出した１つのアクセスポイント３２の識別情報に対応した１つ以上のアクセスポイント３２の識別情報を特定する。前者の１つのアクセスポイント３２の識別情報は、送信済アクセスポイント欄２５０に示されており、後者の１つ以上のアクセスポイント３２の識別情報は、次送信開始アクセスポイント欄２５２に示されている。これは、取得部２０が情報を取得した場合、広告データを送信したアクセスポイント３２の設置位置をもとに、別のアクセスポイント３２を特定することに相当する。特定部２２は、取得部２０からの情報から、広告情報の内容を抽出し、前述のごとく、ＳＳＩＤを特定する。特定部２２は、特定した１つ以上のアクセスポイント３２の識別情報と、特定したＳＳＩＤを指示部２６に出力する。
【００４７】
指示部２６は、特定部２２から、１つ以上のアクセスポイント３２の識別情報と、ＳＳＩＤを受けつける。指示部２６は、第１ネットワーク３０、ＧＷ３６、第２ネットワーク３４を介して、受けつけた識別情報に対応した１つ以上のアクセスポイント３２に対して、受けつけたＳＳＩＤを設定する。１つ以上のアクセスポイント３２は、指示部２６から指定されたＳＳＩＤを設定する。このように、広告データは、ＳＳＩＤに対応づけられているとともに、アクセスポイント３２は、ＳＳＩＤを変更しながら、ＳＳＩＤが含まれたビーコンを送信する。その結果、既に広告データを送信していたコアとなる第１アクセスポイント３２ａの周囲に設置された第２アクセスポイント３２ｂ、第３アクセスポイント３２ｃも、同様な広告データを送信し始めることによって、広告データの自律的伝搬がなされる。
【００４８】
指示部２６は、特定部２２からＳＳＩＤ等を受けつけていない場合であっても、各アクセスポイント３２に対するＳＳＩＤを切りかえるように制御する。ここでは、切替制御について説明する。なお、以下では、説明を明瞭にするために、１つのアクセスポイント３２に対する処理を説明するが、他のアクセスポイント３２に対しても同様の処理がなされればよい。指示部２６は、アクセスポイント３２が切りかえながら使用すべき複数のＳＳＩＤに対して優先順位を設定する。図８は、管理装置１８の記憶部２４に記憶された別のテーブルのデータ構造を示す。これは、１つのアクセスポイント３２に対する優先順位のテーブルであり、優先順位欄２６０、ＳＳＩＤ欄２６２が含まれる。優先順位欄２６０には、優先順位が示されており、優先順位「１」が最も高い優先順位であり、優先順位「２」、「３」、「４」・・となるにつれて優先順位が低くなる。ＳＳＩＤ欄２６２には、各優先順位に対応したＳＳＩＤが示される。図６に戻る。
【００４９】
指示部２６は、前述のごとく、特定部２２からＳＳＩＤ等を受けつけ、当該ＳＳＩＤをアクセスポイント３２に設定している場合、当該ＳＳＩＤの優先順位を高くするように優先順位を変更する。これは、アクセスポイント３２に送信を指示したＳＳＩＤの優先順位を高くすることに相当する。その結果、通信端末装置１０を使用しているユーザに視聴される機会が多い広告データのＳＳＩＤほど、優先順位が高くなる。このように、指示部２６は、過去に送信した広告データの実績に応じて、ＳＳＩＤの優先順位を調節しており、優先順位が低くなったＳＳＩＤは、図８のテーブルから削除される。
【００５０】
指示部２６は、優先順位にしたがって、複数のＳＳＩＤを切りかえながらアクセスポイント３２に設定する。その際、指示部２６は、優先順位が高くなるほど、ＳＳＩＤを使用している期間が長くなるように、切替周期を制御する。前述のごとく、特定部２２からＳＳＩＤ等を受けつけ、かつそのタイミングで当該ＳＳＩＤをアクセスポイント３２に設定していない場合、指示部２６は、当該ＳＳＩＤを割り込む形でアクセスポイント３２に設定する。
【００５１】
これまでの説明において、アクセスポイント３２に対しては、任意のタイミングにおいて１つのＳＳＩＤを設定可能であり、管理装置１８からの指示に応じてＳＳＩＤが切りかえられている。アクセスポイント３２に対して、任意のタイミングにおいて複数のＳＳＩＤが設定可能であってもよい。その場合、指示部２６は、任意のタイミングにおいて、複数のＳＳＩＤをアクセスポイント３２に設定し、別のタイミングにおいて、複数の別のＳＳＩＤをアクセスポイント３２に設定する。
【００５２】
図９は、管理装置１８において選択されるＳＳＩＤの時間変化を示す。ここでは、４つのＳＳＩＤを同時に設定可能であるとし、これを縦方向に示す。それらは、「第１ＳＳＩＤ」から「第４ＳＳＩＤ」と示される。横方向には、時間の経過とともに選択されるＳＳＩＤが示される。最初のタイミングにおいて、第１ＳＳＩＤとして「ａｄｖｅｒｔｉｓｅｍｅｎｔａ」が選択され、第２ＳＳＩＤとして「ａｄｖｅｒｔｉｓｅｍｅｎｔｂ」が選択され、第３ＳＳＩＤとして「ａｄｖｅｒｔｉｓｅｍｅｎｔｃ」が選択され、第４ＳＳＩＤとして「ａｄｖｅｒｔｉｓｅｍｅｎｔｄ」が選択される。所定期間の経過後、図示のごとく、「ａｄｖｅｒｔｉｓｅｍｅｎｔｅ」から「ａｄｖｅｒｔｉｓｅｍｅｎｔｈ」が選択される。このようにＳＳＩＤは時分割して割りふられる。なお、ＳＳＩＤが巡回的に順次付与されてもよい。
【００５３】
以上の構成による通信システム１００の動作を説明する。図１０は、管理装置１８による優先順位の変更手順を示すフローチャートである。取得部２０は、広告データ送信の報告をコンテンツサーバ１６から取得する（Ｓ２０）。特定部２２は、広告データに対応したＳＳＩＤを選択する（Ｓ４２）。指示部２６は、選択したＳＳＩＤの優先順位を変更する（Ｓ４４）。
【００５４】
本発明の実施例によれば、アクセスポイントから送信された広告データに対応したＳＳＩＤを選択を１つ以上の別のアクセスポイントからも送信するので、無線ＬＡＮシステムでの通信量の増加を抑制しながら、広告を広く配信できる。先行した広告データの送信、追従するＳＳＩＤの送信は、いずれも無線ＬＡＮシステムでなされるので、限定的なエリアにおいて広告を配信できる。また、限定的なエリア内にはある程度近い趣味・趣向を有したユーザが存在するので、ユーザに適した広告を精度よく特定できる。また、エリア内のユーザに適した広告を広く配信できる。また、アクセスポイントから送信可能なＳＳＩＤには優先順位が付与されるので、さまざまなＳＳＩＤのうちの特定のＳＳＩＤを優先的に使用できる。また、過去に送信した広告データの実績に応じてＳＳＩＤの優先順位を調節するので、ユーザが視聴を希望しやすいＳＳＩＤを優先的に使用できる。
【００５５】
（実施例４）
次に、本発明の実施例４を説明する。実施例４は、これまでと同様に、無線通信技術と広告配信技術とを組合わせた通信システムに関する。ここでは、通信端末装置１０を使用するユーザをセグメントをもとに分類し、セグメントごとに過去の統計情報を活用し、ＳＳＩＤの割当がなされる。セグメントとは、市場の中で共通のニーズを持ち、製品の認識の仕方・価値づけ・使用方法、購買に至るプロセス、すなわち購買行動において類似しているユーザのグループである。例えば、３０代女性のような共通の属性を有したセグメントが規定される。
【００５６】
さらに、アドサーバとＷＥＢサーバによって構成されていた広告システムに、新たにＳＳＩＤと関連させた場所の概念を付加する。つまり、場所も加味した最適な広告の配信がなされる。ここで、アドサーバは、これまでのコンテンツサーバに対応する。ウエブページでは、一般的にコンテンツと広告とが別々のサーバから配信される。これらの配信を切り離すことによって、例えば、同一のウエブページを閲覧している複数のユーザのそれぞれに対して、互いに異なった広告を配信することが可能になる。このような広告はアドサーバから配信されている。アドサーバは、媒体社によって保有・運用されることが多いが、広告主がアドサーバを保有することもある。
【００５７】
図１１は、本発明の実施例４に係る通信システム１００の構成を示す。通信システム１００は、管理装置１８、アクセスポイント３２と総称される第１アクセスポイント３２ａ、第２アクセスポイント３２ｂ、第３アクセスポイント３２ｃ、第２ネットワーク３４、広告システム４０を含む。広告システム４０は、アドサーバ４２、ＷＥＢサーバ４４を含む。管理装置１８は、取得部５０、記憶部５２、推定部５４、選択部５６、指示部５８を含む。
【００５８】
図示のごとく、アドサーバ４２は、ＷＥＢサーバ４４に対応づけられている。ＷＥＢサーバ４４は、アドサーバ４２と一体的に設けられてもよく、別に設けられてもよい。取得部５０は、通信端末装置１０のＭＡＣアドレスと、当該通信端末装置１０において視聴された広告データに対応づけられたＳＳＩＤとの組合せを取得する。取得部５０は、ＭＡＣアドレスをもとに、通信端末装置１０が含まれるセグメントを特定する。このような処理を実行するために、取得部５０は、ＭＡＣアドレスとセグメントとの関係を予め記憶する。取得部５０は、特定した結果を記憶部５２に記憶させる。
【００５９】
記憶部５２は、通信端末装置１０のＭＡＣアドレスに対する過去のＳＳＩＤの使用実績であって、かつ広告に対応づけられたＳＳＩＤの使用実績を記憶する。図１２は、管理装置１８の記憶部５２に記憶されたテーブルのデータ構造を示す。図示のごとく、セグメント欄２７０、ＭＡＣアドレス欄２７２、ＳＳＩＤ使用実績欄２７４が含まれる。セグメント欄２７０には、ユーザが所属するセグメントが示される。ＭＡＣアドレス欄２７２には、各セグメントに含まれた通信端末装置１０のＭＡＣアドレスが示されている。このように１つのセグメントには複数の通信端末装置１０が含まれる。ＳＳＩＤ使用実績欄２７４には、ＭＡＣアドレスに対応した過去のＳＳＩＤの使用実績が示されている。このようなテーブルは、アクセスポイント３２の位置および時間の少なくとも一方ごとに設けられる。これは、アクセスポイント３２の位置および時間の少なくとも一方ごとに分類されたテーブルが生成されることに相当する。図１１に戻る。
【００６０】
推定部５４は、記憶部５２に記憶した使用実績をセグメントごとに統計処理することによって、通信端末装置１０に適した広告を推定する。つまり、ＭＡＣアドレスで大衆の傾向を調べ、それに適した広告が推定される。その際、推定は、通信端末装置１０がアクセスしたアクセスポイント３２の位置および時間の少なくとも一方ごとに実行される。統計処理には公知の技術が使用されればよいので、ここでは説明を省略する。このようにＭＡＣアドレスと各ロケーションのアクセスポイント３２間のテーブルがベースとなった処理がなされる。なお、通信端末装置１０の場所特定には、Ｇｅｏｌｏｃａｔｉｏｎ  ＡＰＩが使用されてもよい。また、アプリケーションプログラムが連動してもよく、カメラによるセンシングがなされてもよい。
【００６１】
選択部５６は、取得部５０において取得したＭＡＣアドレスをもとに、推定部５４において推定した広告に対応づけられたＳＳＩＤを選択する。指示部５８は、選択したＳＳＩＤの使用をアクセスポイント３２に指示する。
【００６２】
本発明の実施例によれば、セグメントごとに使用実績を統計処理することによって、ＳＳＩＤを選択するので、これまで使用していないＳＳＩＤを含めて有効なＳＳＩＤを選択できる。また、ＭＡＣアドレスと紐づいたセグメントにて使用実績を集積するので、より確度の高い広告コンテンツを選択できる。また、アクセスポイントの位置および時間の少なくとも一方ごとに推定を実行するので、場所と時間によっても異なる特徴を抽出できる。また、場所と時間によっても異なる特徴が抽出されるので、アクセスポイントの位置および時間の少なくとも一方に適したＳＳＩＤを詳細に選択できる。また、ユーザ統計情報・場所情報を加味するので、最適なＳＳＩＤを選択できる。
【００６３】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６４】
本実施例１、２において、携帯電話システムが使用されている。しかしながらこれに限らず例えば、携帯電話システム以外の無線通信システムが使用されてもよい。例えば、無線ＭＡＮ（Ｍｅｔｒｏｐｏｌｉｔａｎ  Ａｒｅａ  Ｎｅｔｗｏｒｋ）が使用されてもよい。本変形例によれば、さまざまな無線通信システムを使用できる。
【００６５】
本実施例１、２において、携帯電話システムにおける基地局装置１２からの送信に続いて、無線ＬＡＮシステムにおけるアクセスポイント３２からの送信がなされている。しかしながらこれに限らず例えば、無線ＬＡＮシステムにおけるアクセスポイント３２からの送信に続いて、携帯電話システムにおける基地局装置１２からの送信がなされてもよい。本変形例によれば、通信システム１００の構成の自由度を向上できる。
【００６６】
本実施例１乃至４において、広告データの視聴数がしきい値よりも大きくなると、周囲に存在する通信端末装置１０にもそのことを周知してもよい。周知には、携帯電話システムあるいは無線ＬＡＮシステムが使用されればよい。本変形例によれば、広告データの視聴数をさらに増加できる。
【００６７】
本実施例３において、アクセスポイント３２ごとに優先順位を設定している。しかしながらこれに限らず例えば、複数のアクセスポイント３２に対して共通の優先順位を設定してもよい。本変形例によれば、記憶しておくべき優先順位の情報量を低減できる。
【符号の説明】
【００６８】
１０  通信端末装置、  １２  基地局装置、  １６  コンテンツサーバ、  １８  管理装置、  ２０  取得部、  ２２  特定部、  ２４  記憶部、  ２６  指示部、  ３０  第１ネットワーク、  ３２  アクセスポイント、  ３４  第２ネットワーク、  ３６  ＧＷ、  １００  通信システム。
【図１】
2016053785.tif 000003
【図２】
2016053785.tif 000004
【図３】
2016053785.tif 000005
【図４】
2016053785.tif 000006
【図５】
2016053785.tif 000007
【図６】
2016053785.tif 000008
【図７】
2016053785.tif 000009
【図８】
2016053785.tif 000010
【図９】
2016053785.tif 000011
【図１０】
2016053785.tif 000012
【図１１】
2016053785.tif 000013
【図１２】
2016053785.tif 000014